(57)【要約】【課題】複数の電算機が設置された室内において、電算機の情報処理量に応じた空調制御を行うことにより省エネルギー化を図ることが可能な空調制御システムおよびこれに利用する空調機制御装置、空調制御監視方法を提供する。【解決手段】サーバ室１０内に設置された電算機１１〜１３から所定時間間隔の時間帯ごとの情報処理量を取得する情報処理量取得部２１と、この情報処理量に基づいて１日の所定時間間隔の各時間帯を高負荷時間帯と低負荷時間帯とに分類し、サーバ室１０内の空調を制御する空調機６０の設定温度が低負荷時間帯よりも高負荷時間帯に低くなるように設定温度の制御スケジュール情報を生成する制御スケジュール情報生成部２２と、現在時刻に対応する設定温度を制御スケジュール情報に基づいて特定し、特定した設定温度を空調機６０に設定するための設定温度制御信号を生成して空調機６０に送信する設定温度制御部２４とを備える。【選択図】図１
2009293847.tif 000002
【特許請求の範囲】
【請求項１】
空調制御対象の室内に設置された複数の電算機と、前記空調制御対象の室内の空調を制御する空調機と、この空調機の動作を制御する空調機制御装置とがネットワークを介して接続された空調制御システムにおいて、
前記空調機制御装置は、
前記複数の電算機から所定時間間隔の時間帯ごとの情報処理量を取得する情報処理量取得部と、
前記情報処理量取得部で取得した情報処理量に基づいて、１日の所定間隔の各時間帯を、前記複数の電算機にかかる負荷が高負荷である高負荷時間帯と低負荷である低負荷時間帯とに分類し、前記低負荷時間帯よりも高負荷時間帯に前記空調機の設定温度が低くなるように、前記空調機の設定温度の制御スケジュール情報を生成する制御スケジュール情報生成部と、
現在時刻に対応する前記空調機の設定温度を前記制御スケジュール情報に基づいて特定し、この特定した設定温度を前記空調機に設定するための設定温度制御信号を生成して前記空調機に送信する設定温度制御部と、
を有し、
前記空調機は、
前記設定温度制御部から送信された設定温度制御信号を受信し、この設定温度制御信号に基づいて自機器の設定温度を設定する設定温度設定部と、
この設定温度設定部で設定された設定温度に基づいて前記空調制御対象の室内の空調を制御する空調制御部と
を有することを特徴とする空調制御システム。
【請求項２】
空調制御対象の室内に設置された複数の電算機から所定間隔の時間帯ごとの情報処理量を取得する情報処理量取得部と、
前記情報処理量取得部で取得した情報処理量に基づいて、１日の所定時間間隔の各時間帯を、前記複数の電算機にかかる負荷が高負荷である高負荷時間帯と低負荷である低負荷時間帯とに分類し、前記空調制御対象の室内の空調を制御する空調機の設定温度が前記低負荷時間帯よりも高負荷時間帯に低くなるように、前記空調機の設定温度の制御スケジュール情報を生成する制御スケジュール情報生成部と、
現在時刻に対応する前記空調機の設定温度を前記制御スケジュール情報に基づいて特定し、この特定した設定温度を前記空調機に設定するための設定温度制御信号を生成して前記空調機に送信する設定温度制御部と、
を備えることを特徴とする空調機制御装置。
【請求項３】
空調制御対象の室内に設置された複数の電算機から所定時間間隔の時間帯ごとの情報処理量を取得し、
取得した情報処理量に基づいて、１日の所定時間間隔の各時間帯を、前記複数の電算機にかかる負荷が高負荷である高負荷時間帯と低負荷である低負荷時間帯とに分類し、前記空調制御対象の室内の空調を制御する空調機の設定温度が前記低負荷時間帯よりも高負荷時間帯に低くなるように、前記空調機の設定温度の制御スケジュール情報を生成し、
現在時刻に対応する前記空調機の設定温度を前記制御スケジュール情報に基づいて特定し、この特定した設定温度を前記空調機に設定するための設定温度制御信号を生成して前記空調機に送信する、
ことを特徴とする空調制御監視方法。
【発明の詳細な説明】
【技術分野】
【０００１】
本発明は、サーバ室や通信機室など複数の電算機が設置された室内の空調を制御する空調制御システムおよびこれに利用する空調機制御装置、空調制御監視方法に関する。
【背景技術】
【０００２】
従来、多数の電算機が設置されたサーバ室等では、電算機の可動による放熱を冷却するため、空調機の設定温度は低めに設定されている。
【０００３】
設定された温度に対する空調機の制御に関する技術として、特許文献１に記載の空調制御方法がある。
【０００４】
この空調制御方法では、複数台の空調機の相互作用や送風温度の上下限値により各空調機の送風温度の設定値が確定され、この設定値がＤＤＣにフィードバックされて冷水バルブの開度が制御される。
【特許文献１】特開昭６２−９１３６号公報
【発明の開示】
【発明が解決しようとする課題】
【０００５】
しかし、この従来の空調制御方法では空調制御対象の室内への空気の吹き出し口に設けられた給気温度センサで計測された温度に基づいてＤＤＣ（ダイレクトデジタルコントローラ）で冷水バルブの開度を調整して空調制御を行っているため、サーバ室のように多数の電算機が設置され、電算機の負荷が高いときと低いときで放熱量が異なる室内でもこれに無関係に空調制御が行われ、負荷が低いときに過剰冷房となりエネルギーのロスが発生するという問題があった。
【０００６】
また、電算機の負荷が高くなってから、室温が上がったことが検知され空調機の制御により室温が下げられるまでの応答に時間がかかり、電算機の発熱を適時に抑えることができないという問題があった。
【０００７】
よって本発明の目的は、複数の電算機が設置された室内において、電算機の情報処理量に応じた空調制御を行うことにより省エネルギー化を図ることが可能な空調制御システムおよびこれに利用する空調機制御装置、空調制御監視方法を提供することを目的とする。
【課題を解決するための手段】
【０００８】
上記目的を達成するための本発明の空調制御システムは、空調制御対象の室内に設置された複数の電算機と、前記空調制御対象の室内の空調を制御する空調機と、この空調機の動作を制御する空調機制御装置とがネットワークを介して接続されたものであり、前記空調機制御装置は、前記複数の電算機から所定時間間隔の時間帯ごとの情報処理量を取得する情報処理量取得部と、前記情報処理量取得部で取得した情報処理量に基づいて、１日の所定時間間隔の各時間帯を、前記複数の電算機にかかる負荷が高負荷である高負荷時間帯と低負荷である低負荷時間帯とに分類し、前記低負荷時間帯よりも高負荷時間帯に前記空調機の設定温度が低くなるように、前記空調機の設定温度の制御スケジュール情報を生成する制御スケジュール情報生成部と、現在時刻に対応する前記空調機の設定温度を前記制御スケジュール情報に基づいて特定し、この特定した設定温度を前記空調機に設定するための設定温度制御信号を生成して前記空調機に送信する設定温度制御部とを有し、前記空調機は、前記設定温度制御部から送信された設定温度制御信号を受信し、この設定温度制御信号に基づいて自機器の設定温度を設定する設定温度設定部と、この設定温度設定部で設定された設定温度に基づいて前記空調制御対象の室内の空調を制御する空調制御部とを有することを特徴とする。
【０００９】
また、本発明の空調機制御装置は、空調制御対象の室内に設置された複数の電算機から所定時間間隔の時間帯ごとの情報処理量を取得する情報処理量取得部と、前記情報処理量取得部で取得した情報処理量に基づいて、１日の所定時間間隔の各時間帯を、前記複数の電算機にかかる負荷が高負荷である高負荷時間帯と低負荷である低負荷時間帯とに分類し、前記空調制御対象の室内の空調を制御する空調機の設定温度が前記低負荷時間帯よりも高負荷時間帯に低くなるように、前記空調機の設定温度の制御スケジュール情報を生成する制御スケジュール情報生成部と、現在時刻に対応する前記空調機の設定温度を前記制御スケジュール情報に基づいて特定し、この特定した設定温度を前記空調機に設定するための設定温度制御信号を生成して前記空調機に送信する設定温度制御部とを備えることを特徴とする。
【００１０】
また、本発明の空調制御監視方法は、空調制御対象の室内に設置された複数の電算機から所定時間間隔の時間帯ごとの情報処理量を取得し、取得した情報処理量に基づいて、１日の所定時間間隔の各時間帯を、前記複数の電算機にかかる負荷が高負荷である高負荷時間帯と低負荷である低負荷時間帯とに分類し、前記空調制御対象の室内の空調を制御する空調機の設定温度が前記低負荷時間帯よりも高負荷時間帯に低くなるように、前記空調機の設定温度の制御スケジュール情報を生成し、現在時刻に対応する前記空調機の設定温度を前記制御スケジュール情報に基づいて特定し、この特定した設定温度を前記空調機に設定するための設定温度制御信号を生成して前記空調機に送信することを特徴とする。
【発明の効果】
【００１１】
本発明の空調制御システムおよびこれに利用する空調機制御装置、空調制御監視方法によれば、複数の電算機が設置された室内において、電算機の情報処理量に応じた空調制御を行うことにより省エネルギー化を図ることができる。
【発明を実施するための最良の形態】
【００１２】
《第１実施形態》
〈第１実施形態による空調制御システムの構成〉
本発明の第１実施形態による空調制御システム１の構成について、図１を参照して説明する。
【００１３】
本実施形態による空調制御システム１は、サーバ室１０に設置された複数の電算機１１〜１３と、空調機制御装置としての中央監視装置２０と、ＬＣＳ（Local Control Server）３０とがＬＡＮ（Local Area Network）４０で接続され、ＬＣＳ３０にＲＳ（Remote System）５０を介して空調機６０が接続されることにより構成されている。
【００１４】
中央監視装置２０は、情報処理量取得部２１と、制御スケジュール情報生成部２２と、制御スケジュール情報記憶部２３と、設定温度制御部２４とを有する。
【００１５】
情報処理量取得部２１は、複数の電算機１１〜１３からＬＡＮ４０を介して所定時間帯ごとの（例えば１時間ごとのポーリングによって）情報処理量を取得する。
【００１６】
制御スケジュール情報生成部２２は、情報処理量取得部２１で取得した複数の電算機１１〜１３の時間帯ごとの情報処理量から、１日の所定間隔の各時間帯（例えば１時間間隔の各時間帯）をバッチ処理等により電算機１１〜１３が高負荷となる時間帯と、それ以外の低負荷である時間帯とに分類し、高負荷となる時間帯の設定温度と低負荷となる時間帯の設定温度とをそれぞれ設定し、設定温度の制御スケジュールを生成する。ここで設定温度は、低負荷となる時間帯よりも高負荷となる時間帯の設定温度のほうが低くなるように設定する。
【００１７】
制御スケジュール情報記憶部２３は、制御スケジュール情報生成部２２で生成された制御スケジュールを記憶する。
【００１８】
設定温度制御部２４は、自装置内の時計機能により現在時刻情報を取得し、取得した現在時刻情報と制御スケジュール情報記憶部２３に記憶された制御スケジュールとに基づいて空調機６０の設定温度を特定し、空調機６０にこの設定温度を設定するための設定温度制御信号を生成し、ＬＡＮ４０を介してＬＣＳ３０に送信する。
【００１９】
ＬＣＳ３０は、受信した設定温度制御信号を、該当するＲＳ５０に送信する。
【００２０】
ＲＳ５０は、ＬＣＳ３０から取得した設定温度制御情報に基づいて、接続された空調機６０の設定温度を制御する。
【００２１】
〈第１実施形態による空調制御システムの動作〉
次に、本実施形態の空調制御システム１において空調機６０の設定温度が制御されるときの中央監視装置２０の動作について、図２のフローチャートを参照して説明する。
【００２２】
まず、中央監視装置２０の情報処理量取得部２１において、空調制御対象のサーバ室１０内に設置された複数の電算機１１〜１３から、ＬＡＮ４０を介して所定間隔の時間帯ごとの情報処理量が取得される（Ｓ１）。この電算機１１〜１３の情報処理量は、１日の間のサイクルをある程度把握できる期間（例えば１週間）分が取得される。
【００２３】
次に制御スケジュール情報生成部２２において、取得された期間分の各時間帯の情報処理量基づいて、１日の所定間隔の各時間帯が、電算機１１〜１３にかかる負荷が高負荷である高負荷時間帯と低負荷である低負荷時間帯とに分類される（Ｓ２）。
【００２４】
ここでは、午前１０時〜１７時までが低負荷時間帯、それ以外の時間帯がバッチ処理による高負荷時間帯として分類されたものとする。
【００２５】
次に、制御スケジュール情報生成部２２において、高負荷時間帯の設定温度と低負荷時間帯の設定温度とが設定され、設定温度の制御スケジュール情報が生成される（Ｓ３）。このとき、設定温度は低負荷時間帯よりも高負荷時間帯の設定温度のほうが低くなるように設定される。
【００２６】
制御スケジュール情報生成部２２において生成された設定温度の制御スケジュール情報の一例を、図３に示す。
【００２７】
図３に示す制御スケジュール情報は、午前１０時〜１７時までの低負荷時間帯は設定温度が２４℃であり、それ以外の高負荷時間帯は設定温度が２０℃として生成されている。
【００２８】
生成された設定温度の制御スケジュール情報は、制御スケジュール情報記憶部２３に記憶される（Ｓ４）。
【００２９】
設定温度の制御スケジュール情報が制御スケジュール情報記憶部２３に記憶されている状態で、設定温度制御部２４において自装置内の時計機能により現在時刻情報が所定時間間隔で取得され、取得された現在時刻情報に対応する設定温度が制御スケジュール情報に基づいて特定される（Ｓ５）。
【００３０】
設定温度が特定されると、空調機６０をこの設定温度に設定するための設定温度制御信号が設定温度制御部２４で生成され、ＬＡＮ４０、ＬＣＳ３０を介して該当するＲＳ５０に送信される（Ｓ６）。
【００３１】
ＲＳ５０で設定温度制御信号が受信されると、この信号に基づいて空調機６０に設定温度が設定され、設定された設定温度で空調機６０により空調制御対象の室内の空調が制御される。
【００３２】
以上の本実施形態により、空調制御対象の室内の電算機の負荷が低いときには空調機の設定温度を自動的に高くするため、電算機が多数設置された室内における過剰冷房を抑えることができ、省エネルギー化を図ることができる。
【００３３】
本実施形態においては、ＲＳ５０およびこれに対応する空調機６０がそれぞれ１台の場合について説明したが、ＬＣＳ３０に複数のＲＳ５０が接続され、これらのＲＳ５０にそれぞれ接続された複数の空調機６０に対して設定温度を制御するようにしてもよい。
【００３４】
その際は、中央監視装置２０において空調機６０ごとに対応するエリア別または部屋別に制御スケジュールおよび設定温度制御信号を生成し、ＬＣＳ３０において該当するＲＳ５０を判別して各設定温度制御信号を送信する。
【図面の簡単な説明】
【００３５】
【図１】本発明の一実施形態による空調制御システムの構成を示す全体図である。
【図２】本発明の一実施形態による空調制御システムの動作を示すフローチャートである。
【図３】本発明の一実施形態による空調制御システムで生成される制御スケジュールの一例を示すグラフである。
【符号の説明】
【００３６】
１…空調制御システム
１０…サーバ室
１１〜１３…電算機
２０…中央監視装置
２１…情報処理量取得部
２２…制御スケジュール情報生成部
２３…制御スケジュール情報記憶部
２４…設定温度制御部
３０…ＬＣＳ
４０…ＬＡＮ
５０…ＲＳ
６０…空調機
【図１】
2009293847.tif 000003
【図２】
2009293847.tif 000004
【図３】
2009293847.tif 000005